(57)【要約】【課題】製造、検査、調整、及び選別を複数の地域に分散させて行うことを可能にし、これにより生産性及び品質を向上させたり、価格の上昇を抑え、それらの工程で得られた様々な情報を有効利用することが可能な電子装置の検査及び調整システムを提供する。【解決手段】生産設備側では、電子装置１１の製造、撮影、及び特性の測定を行っている。この後、電子装置１１は、生産設備側から調整選別側へと輸送される。この際中、インターネットを通じて市場で、検査電子装置１１の画像及び特性を検査計算して、調整選別側に送信している。そして、調整選別側では、電子装置１１の画像及び特性を示す情報を受信すると、この情報を用いて、外観の選別判定内容及び特性調整内容を求めておき、電子装置１１が到着すると、外観の選別判定内容及び特性調整内容に従って、電子装置１１の選別や特性の調整を行っている。【選択図】図１
2007226438.tif 000002
【特許請求の範囲】
【請求項１】
電子装置の検査及び調整に必要な該電子装置の画像及び特性等を撮影及び測定等により取得する検査手段と、
前記電子装置を輸送するに際し、前記検査手段により取得された前記電子装置の画像及び特性等を示す情報を生成し、この情報に基づいて該電子装置の外観判定や調整内容の決定する際の支援手段、及びインターネットを通じて広く市場で実施する際の管理制御手段と、
輸送された前記電子装置の受け入れ側で、前記工程で決定された電子装置の外観判定や調整内容を用いて、該電子装置の選別及び特性調整等の工程を支援する支援手段とを備えることを特徴とする電子装置の検査及び調整システム。
【請求項２】
前記検査手段は、前記電子装置の部分毎に画像もしくは特性等を撮影及び測定等により取得し、
前記情報生成通信手段は、前記検査手段により取得された前記電子装置の各部分の画像もしくは特性等を示す情報を生成して、この情報をインターネットを通じて送信することを特徴とする請求項１に記載の電子装置の検査及び調整システム。
【請求項３】
前記情報生成通信手段により生成された前記電子装置の画像及び特性等を示す情報の閲覧が、輸送された前記電子装置の受け入れ側で許可されることを特徴とする請求項１に記載の電子装置の検査及び調整システム。
【請求項４】
前記電子装置の画像及び特性等を示す情報の閲覧が、輸送された前記電子装置の送り側で禁止されることを特徴とする請求項３に記載の電子装置の検査及び調整システム。
【請求項５】
前記情報生成通信手段により生成された前記電子装置の画像及び特性等を示す情報の複数回の閲覧が、輸送された前記電子装置の受け入れ側で許可されることを特徴とする請求項１に記載の電子装置の検査及び調整システム。
【請求項６】
前記電子装置の画像及び特性等を示す情報の複数回の閲覧が、輸送された前記電子装置の送り側で禁止されることを特徴とする請求項５に記載の電子装置の検査及び調整システム。
【請求項７】
前記電子装置の品質要求に応じて、前記情報生成通信手段により生成された前記電子装置の画像及び特性等を示す情報の閲覧を制御する管理制御手段を備えることを特徴とする請求項１に記載の電子装置の検査及び調整システム。
【請求項８】
前記電子装置の調達要求に応じて、前記情報生成通信手段により生成された前記電子装置の画像及び特性等を示す情報の閲覧を制御する管理制御手段を備えることを特徴とする請求項１に記載の電子装置の検査及び調整システム。
【請求項９】
前記電子装置の価格要求に応じて、前記情報生成通信手段により生成された前記電子装置の画像及び特性等を示す情報の閲覧を制御する管理制御手段を備えることを特徴とする請求項１に記載の電子装置の検査及び調整システム。
【請求項１０】
前記電子装置の品質状況に応じて、該電子装置の調達条件を補正する管理制御手段を備えることを特徴とする請求項１に記載の電子装置の検査及び調整システム。
【請求項１１】
前記電子装置の品質状況に応じて、該電子装置の価格条件を補正する管理制御手段を備えることを特徴とする請求項１に記載の電子装置の検査及び調整システム。
【請求項１２】
前記電子装置の調達状況に応じて、該電子装置の価格条件を補正する管理制御手段を備えることを特徴とする請求項１に記載の電子装置の検査及び調整システム。
【請求項１３】
前記電子装置の調達状況に応じて、該電子装置の品質条件を補正する管理制御手段を備えることを特徴とする請求項１に記載の電子装置の検査及び調整システム。
【請求項１４】
前記電子装置の価格状況に応じて、該電子装置の品質条件を補正する管理制御手段を備えることを特徴とする請求項１に記載の電子装置の検査及び調整システム。
【請求項１５】
前記電子装置の価格状況に応じて、該電子装置の調達条件を補正する管理制御手段を備えることを特徴とする請求項１に記載の電子装置の検査及び調整システム。
【請求項１６】
前記電子装置の生産情報を収集し、この生産情報を用いて、教育評価を行うことを特徴とする請求項１に記載の電子装置の検査及び調整システム。
【請求項１７】
前記支援手段は、表示画面上で該電子装置の選別及び特性調整等を支援することを特徴とする請求項１に記載の電子装置の検査及び調整システム。
【請求項１８】
前記支援手段は、表示画面上での支援内容を一定時間持続させることを特徴とする請求項１に記載の電子装置の検査及び調整システム。
【請求項１９】
前記支援手段は、該支援手段に対する入力操作に応答して表示画面上での支援内容の少なくとも一部を消去することを特徴とする請求項１に記載の電子装置の検査及び調整システム。
【請求項２０】
前記支援手段は、該支援手段に対する入力操作に基づいて前記電子装置の選別及び特性調整等が行われている旨を確認することを特徴とする請求項１に記載の電子装置の検査及び調整システム。
【請求項２１】
輸送された前記電子装置の受け入れ側で、電子装置の決済を行うことを特徴とする請求項１に記載の電子装置の検査及び調整システム。
【発明の詳細な説明】
【技術分野】
【０００１】
本発明は、回路基板、電子部品、及び電子製品等の電子装置の検査及び調整システムに関する。
【背景技術】
【０００２】
一般に、この種の電子装置の検査及び調整は、装置の組立て工程と並行して行われたり、組立て工程の直後に行われるので、電子装置の生産設備の敷地内での実施、つまり特定の地域もしくは場所での実施に限られていた（特許文献１、２を参照）。
【０００３】
図５は、従来の検査及び調整の工程を示すフローチャートである。尚、このフローチャートにおいては、各ステップの内容を図案化して示している。
【０００４】
ここでは、まず顕微鏡等の検査機器１０２を用いて、電子装置１０１の外観等を目視検査し（ステップＳ１１１）、この目視検査により電子装置１０１の合否を判断して、電子装置１０１を選別する（ステップＳ１１２）。引き続いて、測定機器１０３を用いて、電子装置１０１の特性を測定し（ステップＳ１１３）、調整機器１０４を用いて、電子装置１０１の特性を調整し（ステップＳ１１４）、その特性を適確に調整することができたか否かにより電子装置１０１の合否を判断して、電子装置１０１を再び選別する（ステップＳ１１５）。これにより、合格した電子装置１０１のみが最終的に選別されることになる。
【０００５】
この後、合格した電子装置１０１を梱包し、陸輸や空輸等により電子装置１０１を様々な地域に出荷する（ステップＳ１１６）。
【特許文献１】特開平１０−９０１９４号公報
【特許文献２】特開２００４−１３４７７４号公報
【発明の開示】
【発明が解決しようとする課題】
【０００６】
ところで、電子装置をクリーンルーム（無塵環境）で製造するので、その製造工程をクリーンルーム内に設定する必要があり、その上、装置の検査、調整、及び選別等を行うので、そのためのクリーンルーム等の専用スペースも設定する必要があり、広大なクリーンルーム等の専用スペースを生産設備の敷地内に確保する必要があった。
【０００７】
更に、電子装置の製造だけではなく、その検査、調整、及び選別までをも生産設備の敷地内に集約させる場合は、広大な専用スペースを必要とするだけではなく、組立て、検査、調整、及び選別のスケジュールに合わせて多数の作業者を確保して、スケジュールを実行しなければならない。また、顧客要求や製品の品質もしくは仕様に合わせて、多数の作業者の教育を繰り返し行う必要ある。
【０００８】
しかしながら、その様なスケジュールに合う多数の作業者の確保やスケジュールの実行、あるいは多数の作業者の教育等が速やかに進行するとは限らず、電子装置の製造が停滞することがあった。この様な事態が度々あると、生産性及び品質の低下、あるいは製品価格の上昇を招いた。
【０００９】
また、生産設備の敷地内で製造、検査、調整、及び選別を全て行うと、これらの工程で得られた様々な情報が外部からは分からず、情報の履歴が残らないこともあり、情報の有効利用が妨げられた。例えば、装置の色調や形状、あるいは特性等の情報の履歴が残らなかったり、この情報を利用することができなかった。
【００１０】
そこで、本発明は、上記従来の課題に鑑みてなされたものであり、製造、検査、調整、及び選別を複数の地域に分散させて行うことを可能にし、これにより生産性及び品質を向上させたり、価格の上昇を抑え、それらの工程で得られた様々な情報を有効利用することが可能な電子装置の検査及び調整システムを提供することを目的とする。
【課題を解決するための手段】
【００１１】
上記課題を解決するために、本発明の電子装置の検査及び調整システムは、電子装置の検査及び調整に必要な該電子装置の画像及び特性等を撮影及び測定等により取得する検査手段と、前記電子装置を輸送するに際し、前記検査手段により取得された前記電子装置の画像及び特性等を示す情報を生成し、この情報に基づいて該電子装置の外観判定や調整内容の決定する際の支援手段、及びインターネットを通じて広く市場で決定する際の管理制御手段と、輸送された前記電子装置の受け入れ側で、前記工程で決定された電子装置の外観判定や調整内容を用いて、該電子装置の選別及び特性調整等の工程を支援する支援手段とを備えている。
【００１２】
また、前記検査手段は、前記電子装置の部分毎に画像もしくは特性等を撮影及び測定等により取得し、前記情報生成通信手段は、前記検査手段により取得された前記電子装置の各部分の画像もしくは特性等を示す情報を生成して、この情報をインターネットを通じて送信している。
【００１３】
また、前記情報生成通信手段により生成された前記電子装置の画像及び特性等を示す情報の閲覧が、輸送された前記電子装置の受け入れ側で許可されている。そして、前記電子装置の画像及び特性等を示す情報の閲覧が、輸送された前記電子装置の送り側で禁止されている。
【００１４】
また、前記情報生成通信手段により生成された前記電子装置の画像及び特性等を示す情報の複数回の閲覧が、輸送された前記電子装置の受け入れ側で許可されている。そして、前記電子装置の画像及び特性等を示す情報の複数回の閲覧が、輸送された前記電子装置の送り側で禁止されている。
【００１５】
また、前記電子装置の品質要求に応じて、前記情報生成通信手段により生成された前記電子装置の画像及び特性等を示す情報の閲覧を制御する管理制御手段を備えている。
【００１６】
また、前記電子装置の調達要求に応じて、前記情報生成通信手段により生成された前記電子装置の画像及び特性等を示す情報の閲覧を制御する管理制御手段を備えている。
【００１７】
また、前記電子装置の価格要求に応じて、前記情報生成通信手段により生成された前記電子装置の画像及び特性等を示す情報の閲覧を制御する管理制御手段を備えている。
【００１８】
また、前記電子装置の品質状況に応じて、該電子装置の調達条件を補正する管理制御手段を備えている。
【００１９】
また、前記電子装置の品質状況に応じて、該電子装置の価格条件を補正する管理制御手段を備えている。
【００２０】
また、前記電子装置の調達状況に応じて、該電子装置の価格条件を補正する管理制御手段を備えている。
【００２１】
また、前記電子装置の調達状況に応じて、該電子装置の品質条件を補正する管理制御手段を備えている。
【００２２】
また、前記電子装置の価格状況に応じて、該電子装置の品質条件を補正する管理制御手段を備えている。
【００２３】
また、前記電子装置の価格状況に応じて、該電子装置の調達条件を補正する管理制御手段を備えている。
【００２４】
また、前記電子装置の生産情報を収集し、この生産情報を用いて、教育評価を行っている。
【００２５】
また、前記支援手段は、表示画面上で該電子装置の選別及び特性調整等を支援している。
【００２６】
また、前記支援手段は、表示画面上での支援内容を一定時間持続させている。
【００２７】
また、前記支援手段は、該支援手段に対する入力操作に応答して表示画面上での支援内容の少なくとも一部を消去している。
【００２８】
また、前記支援手段は、該支援手段に対する入力操作に基づいて前記電子装置の選別及び特性調整等が行われている旨を確認している。
【００２９】
また、輸送された前記電子装置の受け入れ側で、電子装置の決済を行っている。
【発明の効果】
【００３０】
この様な本発明によれば、検査手段側で電子装置の画像及び特性等を撮影及び測定等により取得して、電子装置の画像及び特性等を示す情報を通信し、電子装置の輸送に際しては、電子装置の画像及び特性等を示す情報を生成し、この情報に基づいて電子装置の外観判定や調整内容を決定し、輸送された電子装置の受け入れ側で電子装置の外観判定や調整内容を用いて、電子装置の選別及び特性調整等を支援している。
【００３１】
従って、製造及び測定と調整及び選別とを分散することができ、作業者の集中化が緩和されて、スケジュールに合う作業者の確保やスケジュールの実行が容易になり、電子装置の製造停滞を防ぐことができ、延いては生産性及び品質を向上させたり、価格の上昇を抑えることができる。
【００３２】
また、電子機器の画像及び特性を示す情報を送受するので、電子装置の情報の履歴の保存や共有が容易になり、情報を有効利用することができる。
【００３３】
また、電子装置の部分毎に画像もしくは特性等を撮影及び測定等により取得し、電子装置の各部分の画像もしくは特性等を示す情報を通信しているので、この情報を用いて、電子装置の部分毎に、調整をより正確に行うことができる。
【００３４】
更に、電子装置の画像及び特性等を示す情報の閲覧を特定の地域に限定しているので、電子装置の検査品質の向上等を図ることができる。
【００３５】
また、電子装置の品質要求、調達要求、及び価格要求に応じて、電子装置の画像及び特性等を示す情報の閲覧を制御しているので、これによっても電子装置の検査品質の向上等を図ることができる。
【００３６】
更に、電子装置の品質状況、調達状況、及び価格状況に応じて、調達条件、価格条件、及び品質条件を補正しているので、これらの条件を最適化することができる。
【００３７】
また、電子装置の生産情報を収集し、この生産情報を用いて、教育評価を行っている。このため、効率よく検査作業者を育成することができる。
【００３８】
更に、表示画面上で電子装置の選別及び特性調整等を支援している。そして、表示画面上での支援内容を一定時間持続させているので、選別及び特性調整等の作業時間を管理制御することができる。また、入力操作に応答して表示画面上での支援内容の少なくとも一部を消去しているので、作業の進行を管理制御することができる。更に、入力操作に基づいて電子装置の選別及び特性調整等が行われている旨を確認しているので、作業の進行状況を把握することができる。
【発明を実施するための最良の形態】
【００３９】
以下、本発明の実施形態を添付図面を参照しつつ詳細に説明する。
【００４０】
図１は、本発明の電子装置の検査及び調整システムの一実施形態を示す図である。本実施形態のシステムでは、電子装置１１の生産設備の敷地もしくはその付近に設けられた生産設備側コンピュータ１と、生産設備側から輸送されて来た電子装置１１を受け入れる側に設けられた調整選別側コンピュータ２と、生産設備側コンピュータ１と調整選別側コンピュータ２間で送受される情報を中継したり管理制御する管理制御側コンピュータシステム３とを備えている。
【００４１】
管理制御側コンピュータシステム３は、コンピュータ３１、各コンピュータ３２、及び各コンピュータ３３等を備えており、インターネット３４を通じて、各コンピュータ３２と各コンピュータ３３間で情報を送受することができる。
【００４２】
また、コンピュータ３１と生産設備側コンピュータ１は、それぞれの通信機器３５、１２を通じて、情報を相互に送受することができる。更に、コンピュータ３１と各コンピュータ３２は、それぞれの通信機器３５、３６を通じて、情報を相互に送受することができる。また、各コンピュータ３３と調整選別側コンピュータ２は、それぞれの通信機器３７、２１を通じて、情報を送受することができる。
【００４３】
従って、生産設備側コンピュータ１と調整選別側コンピュータ２は、管理制御側コンピュータシステム３及びインターネット３４を通じて、情報を送受することができる。
【００４４】
尚、コンピュータ３１と生産設備側コンピュータ１間の通信をインターネット等を通じて行っても良い。同様に、コンピュータ３１と各コンピュータ３２間の通信、及び各コンピュータ３３と調整選別側コンピュータ２間の通信もインターネット等を通じて行うことができる。
【００４５】
生産設備側では、回路基板、電子部品、及び電子製品等の電子装置１１が製造されると、刻印機器１３により識別番号（製造番号等）を電子装置１１に印し、この識別番号を刻印機器１３から通信機器１４、１２を通じて生産設備側コンピュータ１へと送受する。
【００４６】
電子装置１１に識別番号が予め印されている場合は、この識別番号を認識機器により認識して、この識別番号を生産設備側コンピュータ１へと送信しても構わない。
【００４７】
また、撮影機器１５により電子装置１１を撮影し、この撮影された電子装置１１の画像を撮影機器１５から通信機器１６、１２を通じて生産設備側コンピュータ１へと送受する。このとき、後で詳しく説明する様に電子装置１１を複数の部分に区分して、各部分を拡大して撮影し、それぞれの画像を生産設備側コンピュータ１に送信しても構わない。また、画像だけではなく、電子装置１１の色や形状を示す情報を付加しても構わない。
【００４８】
更に、測定機器１７により電子機器１１の特性を測定し、この測定された電子機器１１の特性を通信機器１８、１２を通じて生産設備側コンピュータ１へと送受する。
【００４９】
従って、生産設備側コンピュータ１は、電子装置１１の識別番号、画像、及び特性を取得する。
【００５０】
そして、電子装置１１は、生産設備側から該電子装置１１が販売される地域へと陸輸もしくは空輸される。この販売地域は、生産設備とは異なる他の地域、国等である。
【００５１】
この電子装置１１の輸送に際し、生産設備側コンピュータ１は、電子機器１１の発送を入力通知される。そして、生産設備側コンピュータ１は、この通知に応答して、刻印機器１３、撮影機器１５、及び測定機器１７から取得した電子機器１１の識別番号、画像、及び特性を示す情報を生成し、この電子機器１１の情報を通信機器１２、３５を通じて管理制御側コンピュータシステム３のコンピュータ３１に送信する。
【００５２】
管理制御側コンピュータシステム３では、生産設備側コンピュータ１からの電子装置１１の情報を各コンピュータ間で送受して、この電子装置１１の情報を少なくとも１つのコンピュータにより保存管理制御し、この電子装置１１の情報をコンピュータ３３から調整選別側コンピュータ２へと送信する。
【００５３】
この様な電子装置１１の情報の送受は、コンピュータ及びインターネット等を通じて行われるので、極めて短時間で遂行される。
【００５４】
調整選別側コンピュータ２は、電子装置１１の情報を受信して保存する。そして、調整選別側コンピュータ２は、この情報によって示される電子機器１１の識別番号、画像、及び特性を用いて、電子機器１１の外観の選別判定内容を求めたり、特性に応じた特性調整内容を求める計算処理を行い、外観の選別判定内容及び特性調整内容を電子機器１１の識別番号に対応付けて保存する。
【００５５】
尚、調整選別側コンピュータ２の表示デバイスの画面上に電子機器１１の画像及び特性を映し出し、オペレータが電子機器１１の画像もしくは特性を参照して、外観の選別判定内容及び特性調整内容を設定しても良い。また、外観の選別判定内容及び特性調整内容の設定を管理制御側コンピュータシステム３側で行っても構わない。更に、電子機器１１の仕様に応じて外観の選別判定内容及び特性調整内容を変更しても良い。
【００５６】
この後、調整選別側へと電子装置１１が輸送されて来て受け入れられると、認識機器２２により電子装置１１の識別番号を読取って、この識別番号を認識機器２２から通信機器２３、２１を通じて調整選別側コンピュータ２へと送受する。
【００５７】
調整選別側コンピュータ２は、電子装置１１の識別番号を受信すると、この識別番号に対応する特性調整内容を通信機器２１、２５を通じて調整機器２４へと送信する。調整機器２４は、電子装置１１の特性調整内容を受信すると、この特性調整内容に応じた調整を電子装置１１に施し、電子装置１１の特性を調整する。そして、調整機器２４は、特性調整の結果を通信機器２５、２１を通じて調整選別側コンピュータ２に送信する。
【００５８】
また、調整選別側コンピュータ２は、電子装置１１の識別番号に対応する外観の選別判定内容を通信機器２１、２７を通じて選別機器２６へと送信する。選別機器２６は、電子装置１１の外観の選別判定内容を受信すると、この外観の選別判定内容に基づいて電子装置１１を選別する。そして、選別機器２６は、選別判定の結果を通信機器２７、２１を通じて調整選別側コンピュータ２に送信する。
【００５９】
更に、調整選別側コンピュータ２は、特性調整及び選別判定の結果を受信すると、これらの結果を示す情報を電子装置１１の識別番号に対応付けて記憶し、この情報を管理制御側コンピュータシステム３のコンピュータ３３に送信して、この情報を管理制御側コンピュータシステム３でも記憶管理制御することができる様にする。
【００６０】
こうして選別された合格品の電子装置１１は、梱包されて、調整選別側からユーザへと輸送されて行く。
【００６１】
次に、図２のフローチャートを参照しつつ、本実施形態のシステムにおける検査、調整、及び選別の工程を整理して説明する。尚、このフローチャートにおいては、各ステップの内容を図案化して示している。
【００６２】
生産設備側では、まず刻印機器１３により識別番号を電子装置１１に印し、この識別番号を刻印機器１３から生産設備側コンピュータ１へと通知する（ステップＳ４１）。また、撮影機器１５により電子装置１１を撮影し、この電子装置１１の画像を撮影機器１５から生産設備側コンピュータ１へと通知する（ステップＳ４２）。更に、測定機器１７により電子機器１１の特性を測定し、この測定された電子機器１１の特性を生産設備側コンピュータ１へと通知する（ステップＳ４３）。これにより、生産設備側コンピュータ１で電子装置１１の識別番号、画像、及び特性が取得される。
【００６３】
そして、電子装置１１は、生産設備側から該電子装置１１が販売される地域へと陸輸もしくは空輸される（ステップＳ４４）。この電子装置１１の輸送に際し、電子機器１１の識別番号、画像、及び特性を示す情報は、生産設備側コンピュータ１から管理制御側コンピュータシステム３のコンピュータ３１へと送受され、更に管理制御側コンピュータシステム３のコンピュータ３３から調整選別側コンピュータ２へと送受され、調整選別側コンピュータ２で保存される。そして、調整選別側コンピュータ２は、電子機器１１の識別番号、画像、及び特性を用いて、電子機器１１の外観の選別判定内容及び特性調整内容を求めて保存する。
【００６４】
この後、調整選別側では、電子装置１１が輸送されて来ると、認識機器２２により電子装置１１の識別番号を読取って、この識別番号を認識機器２２から調整選別側コンピュータ２へと通知する（ステップＳ４５）。そして、この識別番号に対応する特性調整内容を調整選別側コンピュータ２から調整機器２４へと通知し、調整機器２４により電子装置１１の特性を調整する（ステップＳ４６）。また、この識別番号に対応する外観の選別判定内容を調整選別側コンピュータ２から選別機器２６へと通知し、選別機器２６により電子装置１１を選別する（ステップＳ４７）。更に、調整選別側コンピュータ２は、特性調整及び選別判定の結果を調整機器２４及び選別機器２６から受信し、これらの結果を示す情報を電子装置１１の識別番号に対応付けて記憶し、この情報を管理制御側コンピュータシステム３のコンピュータ３１に送信して管理制御させる。
【００６５】
こうして選別された合格品の電子装置１１は、梱包されてユーザへと輸送される（ステップＳ４８）。
【００６６】
尚、実際には、多数の電子装置１１の製造及び検査等を行うので、電子装置１１毎に、図２のフローチャートの処理を行うことになる。
【００６７】
この様に生産設備側では、電子装置１１の製造、撮影、及び特性の測定を行って、電子装置１１の画像及び特性を示す情報を調整選別側に送信し、電子装置１１を調整選別側へと発送する。そして、調整選別側では、電子装置１１の画像及び特性を示す情報を受信すると、この情報を用いて、外観の選別判定内容及び特性調整内容を求めておき、電子装置１１が到着すると、外観の選別判定内容及び特性調整内容に従って、電子装置１１の選別や特性の調整を行っている。
【００６８】
従って、製造及び測定と調整及び選別とを生産設備側と調整選別側に分散することができ、作業者の集中化が緩和されて、スケジュールに合う作業者の確保やスケジュールの実行が容易になり、電子装置１１の製造停滞を防ぐことができ、延いては生産性及び品質を向上させたり、価格の上昇を抑えることができる。
【００６９】
また、電子機器１１の識別番号、画像、及び特性を示す情報を生産設備側コンピュータ１から管理制御側コンピュータシステム３へと送受したり、電子機器１１の特性調整及び選別判定の結果を示す情報を調整選別側コンピュータ２から管理制御側コンピュータシステム３へと送受するので、電子装置１１の情報の履歴の保存や共有が可能になり、情報を有効利用することができる。
【００７０】
次に、電子装置１１の撮影及び外観の選別判定について更に詳しく説明する。
【００７１】
電子装置１１全体を撮影し、電子装置１１全体の画像を用いて、電子装置１１の外観検査等を行っても良いが、詳細部分の外観検査等を行うのは困難である。
【００７２】
そこで、生産設備側では、例えば図３に示す様に電子装置１１を６つの部分１１ａ、１１ｂ、１１ｃ、１１ｄ、１１ｅ、１１ｆに区分し、撮影機器１５により各部分１１ａ〜１１ｆを拡大撮影して、６つの画像を取得し、この６つの画像を撮影機器１５から生産設備側コンピュータ１へと送信する。このとき、各部分１１ａ〜１１ｆの拡大倍率を個別に設定しても構わない。例えば、部分１１ａを１０倍で拡大撮影し、部分１１ｂを２０倍で拡大撮影し、部分１１ｃを４０倍で拡大撮影し、部分１１ｄを８０倍で拡大撮影し、各部分１１ｅ、１１ｆを２０倍で拡大撮影し、それぞれの画像を取得する。
【００７３】
生産設備側コンピュータ１は、電子装置１１の識別番号、６つの画像、及び特性を取得して、これらを示す情報を管理制御側コンピュータシステム３を通じて調整選別側コンピュータ２へと送信する。
【００７４】
調整選別側では、６つの画像を調整選別側コンピュータ２の表示デバイスの画面上に順次映し出し、画像毎に、電子装置１１の各部分１１ａ〜１１ｆの外観検査を逐次行う。例えば図４に示す様に電子装置１１の部分１１ｆの画像５１を画面上に拡大して映し出す。このとき、検査結果を入力するそれぞれキー５２、５３等も画面上に映し出し、オペレータの入力操作により画面上でカーソル５４を移動させたり、各キー５２、５３を選択的に指示して、外観検査の結果を入力する。例えば、部分１１ｆの外観が正常であれば、正常を示すキー５２を選択指示する。また、部分１１ｆの外観に異常があれば、この異常個所５５をカーソル５４により指示してから、異常を示すキー５３を選択指示する。調整選別側コンピュータ２は、電子装置１１の部分１１ｆの外観検査の結果を指示入力されると、この外観検査の結果を記憶したり選別機器２６に送信する。
【００７５】
このとき、検査担当及び異常個所を示す情報のみを送受信すれば、効率よく情報を送受信することができる。
【００７６】
また、電子装置１１の各部分１１ａ〜１１ｆ毎に、画像の表示時間を予め設定しておけば、画像の表示時間内で検査が行われ、検査時間の管理制御が可能なる。また、複数の検査項目を画面上に表示して、１つの検査を終了する度に、この検査の検査項目を画面上から消去する入力操作を行う様にすれば、調整選別側コンピュータ２で各検査項目が終了したか否かや検査の進捗状況を管理制御することができる。更に、画面上のカーソル動きを監視し、このカーソルの動きに基づいて検査が終了したか否かを管理制御しても良い。例えば、カーソルが一定時間以上連続して停止したときに、検査が終了したと判定する。
【００７７】
この様な外観検査は、電子装置１１の各部分１１ａ〜１１ｆ別に行われて、それらの結果が入力される。調整選別側コンピュータ２は、電子装置１１の各部分１１ａ〜１１ｆの外観検査の結果を入力すると、これらの外観検査の結果を識別番号に対応付けて記憶管理制御したり管理制御側コンピュータシステム３に送信する。
【００７８】
次に、管理制御側コンピュータシステム３における電子装置１１の情報管理制御について説明する。
【００７９】
管理制御側コンピュータシステム３では、生産設備側コンピュータ１から受信した電子機器１１の識別番号、画像、及び特性を示す情報、及び調整選別側コンピュータ２から受信した電子機器１１の特性調整及び選別判定の結果を示す情報を記憶するだけではなく、これらの情報を管理制御している。例えば、情報の閲覧を生産設備側コンピュータ１に対しては禁止し、また情報の閲覧を調整選別側コンピュータ２に対して許可する。これにより、情報を保護することができ、また調整選別側では電子装置１１の情報を分析して、検査品質を向上させることができる。
【００８０】
情報の複数回の閲覧を生産設備側コンピュータ１に対しては禁止し、また情報の複数回の閲覧を調整選別側コンピュータ２に対して許可する様にしても良い。これにより、情報の保護は勿論のこと、調整選別側での情報の分析を詳細に行うことが可能になり、検査品質をより向上させることができる。
【００８１】
また、管理制御側コンピュータシステム３では、顧客の要求、電子装置１１の品質要求、調達要求、価格要求、及び国や地域や担当の検査精度に対応して電子装置１１の品質格付、調達格付、及び価格格付を設定しておき、それらの要求や国や地域等の検査精度を考慮して、調整選別及び情報の閲覧を行う国や地域を選択したり、検査回数を設定し、これにより品質格付等を確保しても良い。
【００８２】
また、品質要求に応じて、国や地域の季節や時刻などを考慮して、調整選別及び情報の閲覧を行う国や地域などを選択し、これにより品質要求を満たしても良い。例えば、夏の暑い時期を制約したり、夜間を制約して、調整選別及び情報の閲覧を行う国や地域などを選択し、これにより品質の低下を防ぐ。
【００８３】
更に、調達要求に応じて、国や地域、季節や時刻などを考慮して、調整選別及び情報の閲覧を行う国や地域などを選択し、これにより調達要求を満たしても良い。例えば、夏の暑い時期を制約したり、夜間を制約して、調整選別及び情報の閲覧を行う国や地域などを選択し、これにより調達目標の未達成を防ぐ。
【００８４】
あるいは、価格要求に応じて、国や地域、通貨や為替などを考慮して、調整選別及び情報の閲覧を行う国や地域などを選択し、これにより価格要求を満たしても良い。例えば、夏の暑い時期を制約したり、夜間を制約して、調整選別及び情報の閲覧を行う国や地域などを選択し、これにより価格目標の未達成を防ぐ。
【００８５】
また、電子装置１の品質状況を求め、この品質状況に応じて、調達格付けを緩和したり強化して最適化しても良い。例えば、５段階に設定された格付の任意の段階から開始して、調達格付けを２段階にしたり４段階にして最適化する。
【００８６】
あるいは、電子装置１の品質状況を求め、この品質状況に応じて、価格格付けを緩和したり強化して最適化しても良い。例えば、５段階に設定された格付の任意の段階から開始して、価格格付けを２段階にしたり４段階にして最適化する。
【００８７】
また、電子装置１の調達状況を求め、この調達状況に応じて、価格格付を緩和したり強化して最適化しても良い。例えば、５段階に設定された格付の任意の段階から開始して、価格格付を２段階にしたり４段階にして最適化する。
【００８８】
あるいは、調達状況に応じて、品質格付を緩和したり強化して最適化しても良い。例えば、５段階に設定された格付の任意の段階から開始して、品質格付を２段階にしたり４段階にして最適化する。
【００８９】
また、電子装置１の価格状況を求め、この価格状況に応じて、品質格付を緩和したり強化して最適化しても良い。例えば、５段階に設定された格付の任意の段階から開始して、品質格付けを２段階にしたり４段階にして最適化する。
【００９０】
あるいは、価格状況に応じて、調達格付を緩和したり強化して最適化しても良い。例えば、５段階に設定された格付の任意の段階から開始して、調達格付を２段階にしたり４段階にして最適化する。
【００９１】
また、電子装置１の決済は、調整選別及び情報の閲覧を行う国や地域の通貨もしくは為替で決済する様にする。
【００９２】
更に、管理制御側コンピュータシステム３では、生産設備側コンピュータ１や調整選別側コンピュータ２から受信した情報等（生産情報）を用いて、新規検査担当等の教育内容の設定や教育評価を行うことができ、これにより効率よく検査作業者を育成したり、教育内容の充実を図ることができる。
【００９３】
尚、本発明は、上記実施形態に限定されるものではなく、多様に変形することができる。例えば、上記実施形態のシステムにおける情報通信網は、多種多様な通信技術を用いて構築することができる。また、情報の処理、保存、及び管理制御等は、システム上のいずれのコンピュータでも可能であって、適宜な役割分担が好ましい。
【図面の簡単な説明】
【００９４】
【図１】本発明の電子装置の検査及び調整システムの一実施形態を示す図である。
【図２】図１のシステムによる処理過程を示すフローチャートである。
【図３】図１のシステムにおける電子装置の拡大撮影を説明するために用いた図である。
【図４】電子装置の拡大撮影された部分の検査方法を説明するために用いた図である。
【図５】従来の検査及び調整の工程を示すフローチャートである。
【符号の説明】
【００９５】
１  生産設備側コンピュータ
２  調整選別側コンピュータ
３  管理制御側コンピュータシステム（検査計算コンピュータ）
１１  電子装置
１３  刻印機器
１２、１４、１６、１８通信機器
１５  撮影機器
１７  測定機器
２２  認識機器
２１、２３、２５、２７  通信機器
２６  選別機器
３１、３２、３３  コンピュータ
３４  インターネット
３５、３６、３７  通信機器
【図１】
2007226438.tif 000003
【図２】
2007226438.tif 000004
【図３】
2007226438.tif 000005
【図４】
2007226438.tif 000006
【図５】
2007226438.tif 000007